(57)【要約】    【課題】  高ズーム比化、及び全系の小型化を図りつつ、良好なる画像を容易に得ることができ、しかもカメラに適用したときカメラの厚みを薄くすることができるズームレンズを得ること。    【解決手段】  物体側から像側へ順に、正の屈折力の第１レンズ群、負の屈折力の第２レンズ群、光路折り曲げ用の反射ユニット、２以上のレンズ群を含む後群を有し、ズーミングに際して、第１レンズ群と第２レンズ群が移動し、反射ユニットが不動のズームレンズにおいて、広角端から望遠端へのズーミングにおける第１レンズ群の移動量Ｘ１、反射ユニットの反射面から像面までの光軸上の距離ＤＲ、広角端における第２レンズ群の最も像側のレンズ面から反射ユニットの反射面までの光軸上の距離ｄ２ｗ、第２レンズ群の焦点距離ｆ２を各々適切に設定すること。【選択図】    図１１
2014048311.tif 000002
【特許請求の範囲】
【請求項１】
物体側から像側へ順に、正の屈折力の第１レンズ群、負の屈折力の第２レンズ群、光路折り曲げ用の反射ユニット、２以上のレンズ群を含む後群を有し、ズーミングに際して、前記第１レンズ群と前記第２レンズ群が移動し、前記反射ユニットが不動のズームレンズにおいて、
広角端から望遠端へのズーミングにおける前記第１レンズ群の移動量（物体側から像面側への移動を正とする）をＸ１、前記反射ユニットの反射面から像面までの光軸上の距離をＤＲ、広角端における前記第２レンズ群の最も像側のレンズ面から前記反射ユニットの反射面までの光軸上の距離をｄ２ｗ、前記第２レンズ群の焦点距離をｆ２とするとき、
０．４２＜（ｄ２ｗ−Ｘ１）／ＤＲ＜１．００
０．５０＜｜Ｘ１｜／ｄ２ｗ＜５．００
０．３６＜｜ｆ２｜／ｄ２ｗ＜３．００
なる条件式を満足することを特徴とするズームレンズ。
【請求項２】
望遠端において無限遠物体にフォーカスしているときの前記後群の合成横倍率をβＬＲｔ、広角端において無限遠物体にフォーカスしているときの前記後群の合成横倍率をβＬＲｗ、望遠端における全系の焦点距離をｆｔ、広角端における全系の焦点距離をｆｗとし、
ＺＬＲ＝βＬＲｔ／βＬＲｗ
Ｚ＝ｆｔ／ｆｗ
とおくとき、
０．１０＜ＺＬＲ／Ｚ＜０．３５
なる条件式を満足することを特徴とする請求項１に記載のズームレンズ。
【請求項３】
前記第２レンズ群を構成する正レンズのうち、材料のアッベ数が最も小さいアッベ数をνｄ２ｐとするとき、
１０．０＜νｄ２ｐ＜２０．０
なる条件式を満足することを特徴とする請求項１又は２に記載のズームレンズ。
【請求項４】
前記第２レンズ群を構成するレンズの材料の平均屈折率をｎｄ２ａｖｅとするとき、
１．８３＜ｎｄ２ａｖｅ＜２．３０
なる条件式を満足することを特徴とする請求項１乃至３のいずれか１項に記載のズームレンズ。
【請求項５】
前記第１レンズ群を構成する正レンズのうち、材料のアッベ数が最も大きい正レンズの材料のアッベ数と屈折率を各々νｄ１ｐ、ｎ１ｄｐとするとき、
６０．０＜νｄ１ｐ＜１００．０
１．４０＜ｎｄ１ｐ＜１．７０
なる条件式を満足することを特徴とする請求項１乃至４のいずれか１項に記載のズームレンズ。
【請求項６】
前記第１レンズ群の焦点距離をｆ１とするとき、
４．３＜ｆ１／｜ｆ２｜＜８．０
なる条件式を満足することを特徴とする請求項１乃至５のいずれか１項に記載のズームレンズ。
【請求項７】
前記第１レンズ群の焦点距離をｆ１、望遠端における全系の焦点距離をｆｔとするとき、
０．２＜ｆ１／ｆｔ＜１．０
なる条件式を満足することを特徴とする請求項１乃至６のいずれか１項に記載のズームレンズ。
【請求項８】
望遠端における全系の焦点距離をｆｔとするとき、
０．０５＜｜ｆ２｜／ｆｔ＜０．１６
なる条件式を満足することを特徴とする請求項１乃至７のいずれか１項に記載のズームレンズ。
【請求項９】
前記ズームレンズの沈胴に際して、前記反射ユニットが移動して生じた空間に前記第１レンズ群および第２レンズ群の少なくとも一部が移動することを特徴とする請求項１乃至８のいずれか１項に記載のズームレンズ。
【請求項１０】
前記後群は開口絞りを有することを特徴とする請求項１乃至９のいずれか１項に記載のズームレンズ。
【請求項１１】
前記後群は、物体側から像側へ順に、正の屈折力の第３レンズ群、正の屈折力の第４レンズ群より構成されることを特徴とする請求項１乃至１０のいずれか１項のズームレンズ。
【請求項１２】
前記後群は、物体側から像側へ順に、正の屈折力の第３レンズ群、負の屈折力の第４レンズ群、正の屈折力の第５レンズ群より構成されることを特徴とする請求項１０乃至１３のいずれか１項のズームレンズ。
【請求項１３】
前記後群は、物体側から像側へ順に、負の屈折力の第３レンズ群、正の屈折力の第４レンズ群、負の屈折力の第５レンズ群、正の屈折力の第６レンズ群より構成されることを特徴とする請求項１乃至１０のいずれか１項のズームレンズ。
【請求項１４】
請求項１乃至１３のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズに関し、例えばビデオカメラ、デジタルスチルカメラ、放送用カメラ、銀塩写真用カメラ等の撮像装置に用いられる撮影光学系に好適なものである。
【背景技術】
【０００２】
最近、撮像装置に用いられる撮影光学系は、広画角、高ズーム比で、全体が小型であることが求められており、特にカメラの厚みを薄くできるズームレンズであることが求められている。カメラの小型化とズームレンズの高ズーム比化を図るため、非撮影時に各レンズ群の間隔を撮影状態と異なる間隔まで縮小してカメラ筐体内に収納する、沈胴式のズームレンズが知られている。
【０００３】
またカメラの厚さを薄くするために、撮影光学系の光軸を９０°折り曲げる反射ミラーや反射プリズム等の光路折り曲げ用の反射ユニット（反射素子）を光路中に配置した、屈曲式のズームレンズが知られている。更に、反射ユニットの移動によって生じた空間に、反射ユニットの物体側に位置するレンズ群を沈胴収納するようにした、屈曲沈胴式のズームレンズが知られている（特許文献１、２）。
【０００４】
特許文献１の屈曲沈胴式のズームレンズは、正の屈折力の第１レンズ群、負の屈折力の第２レンズ群、正の屈折力の第３レンズ群、正の屈折力の第４レンズ群を有し、各レンズ群を移動させてズーミングを行っている。そして第２レンズ群と第３レンズ群の間に光路を折り曲げる屈曲手段（プリズム）を配置してカメラの薄型化を図っている。
【０００５】
特許文献２の屈曲変倍光学系では、正の屈折力の第１レンズ群、負の屈折力の第２レンズ群、反射ミラー、正の屈折力の第３レンズ群、正の屈折力の第４レンズ群を有している。そして、非撮影時に反射ミラーを折り畳み、第１、第２レンズ群を沈胴することで非撮影時のカメラの薄型化を実現している。
【先行技術文献】
【特許文献】
【０００６】
【特許文献１】特開２００７―０２５１２３号公報
【特許文献２】特開２００７−２７９５４１号公報
【発明の概要】
【発明が解決しようとする課題】
【０００７】
屈曲沈胴式のズームレンズであれば、全系の小型化を図りつつ、高ズーム比と高い光学性能を得ることが容易になる。しかしながら、これらの効果を得るためにはズームレンズのレンズ構成を適切に設定し、かつ反射ユニットの光路中の配置や各レンズ群の屈折力等を適切に設定することが重要になってくる。
【０００８】
例えば、レンズ群の数、反射ユニットよりも物体側の各レンズ群の屈折力、ズーミングの際の各レンズ群の移動条件、そして変倍用のレンズ群と反射ユニットとの間隔等を適切に設定することが重要になってくる。これらの構成が適切でないと、上記の効果を得ることが難しい。
【０００９】
特許文献１の実施例１、２は、反射ユニットより物体側に、ズーミングに際して移動する第１レンズ群と第２レンズ群が配置されているズーム比６程度のズームレンズを開示している。これらの実施例においては、広角端から望遠端へのズーミングにおける第１レンズ群と第２レンズ群の移動量が小さいため、高ズーム比を実現するためには、第１レンズ群と、第２レンズ群の屈折力を大きくする必要がある。この結果、ズーム全域において球面収差、像面彎曲を良好に補正することが困難になってくる。
【００１０】
特許文献２の実施例１、２、４においては、ズーム比８程度のズームレンズを開示している。これらの実施例について高ズーム比化を実現しようとすると、広角端において第１レンズ群がより物体側に配置されることとなり、広角端において前玉有効径が増大し、全系が大型化してくる。
【００１１】
一方、前玉有効径を抑制するため、第２レンズ群の移動量を小さくしようとすると、所定のズーム比を確保するため第２レンズ群の屈折力を大きくする必要があり、この結果、ズーム全域において像面彎曲を補正することが困難となる。
【００１２】
特許文献１の実施例３〜５、特許文献２の実施例３においては、ズーミングに際して第２レンズ群が不動である。これらの実施例について高ズーム比を実現しようとすると、第１レンズ群の移動量がより大きくなるため、望遠端において前玉有効径が増大してくる。また、第２レンズ群の屈折力を大きくする必要があるため、ズーム全域において像面彎曲を補正することが困難になる。
【００１３】
本発明は、高ズーム比化、及び全系の小型化を図りつつ、良好なる画像を容易に得ることができ、しかもカメラに適用したときカメラ等の厚みを薄くすることができるズームレンズ及びそれを用いた撮像装置を提供することを目的とする。
【課題を解決するための手段】
【００１４】
本発明のズームレンズは、物体側から像側へ順に、正の屈折力の第１レンズ群、負の屈折力の第２レンズ群、光路折り曲げ用の反射ユニット、２以上のレンズ群を含む後群を有し、ズーミングに際して、前記第１レンズ群と前記第２レンズ群が移動し、前記反射ユニットが不動のズームレンズにおいて、広角端から望遠端へのズーミングにおける前記第１レンズ群の移動量（物体側から像側への移動を正とする）をＸ１とする。また、前記反射ユニットの反射面から像面までの光軸上の距離をＤＲとする。また、広角端における前記第２レンズ群の最も像側のレンズ面から前記反射ユニットの反射面までの光軸上の距離をｄ２ｗ、前記第２レンズ群の焦点距離をｆ２とするとき、
０．４２＜（ｄ２ｗ−Ｘ１）／ＤＲ＜１．００
０．５０＜｜Ｘ１｜／ｄ２ｗ＜５．００
０．３６＜｜ｆ２｜／ｄ２ｗ＜３．００
なる条件式を満足することを特徴としている。
【発明の効果】
【００１５】
本発明によれば、高ズーム比化、及び全系の小型化を図りつつ、良好なる画像を容易に得ることができ、しかもカメラに適用したときカメラの厚みを薄くすることができるズームレンズが得られる。
【図面の簡単な説明】
【００１６】
【図１】実施例１の広角端におけるレンズ断面図
【図２】（Ａ）、（Ｂ）、（Ｃ）  実施例１の広角端、中間のズーム位置、望遠端における収差図
【図３】実施例２の広角端におけるレンズ断面図
【図４】（Ａ）、（Ｂ）、（Ｃ）  実施例２の広角端、中間のズーム位置、望遠端における収差図
【図５】実施例３の広角端におけるレンズ断面図
【図６】（Ａ）、（Ｂ）、（Ｃ）  実施例３の広角端、中間のズーム位置、望遠端における収差図
【図７】実施例４の広角端におけるレンズ断面図
【図８】（Ａ）、（Ｂ）、（Ｃ）  実施例４の広角端、中間のズーム位置、望遠端における収差図
【図９】実施例５の広角端におけるレンズ断面図
【図１０】（Ａ）、（Ｂ）、（Ｃ）  実施例５の広角端、中間のズーム位置、望遠端における収差図
【図１１】本発明のズームレンズを用いた撮像装置の概略構成図
【図１２】本発明のズームレンズを用いた撮像装置の概略構成図
【発明を実施するための形態】
【００１７】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群を有する。更に反射ミラーや反射プリズム等からなり光軸を９０度又は９０度±１０度以内で折り曲げる光路折り曲げ用の反射ユニット、２以上のレンズ群を含む後群を有している。ズーミングに際して少なくとも第１レンズ群と第２レンズ群が移動する。ズーミングに際し、反射ユニットは不動である。
【００１８】
沈胴収納時には撮影状態とは異なる位置に反射ユニットが移動する。そして反射ユニットの移動によって生じた空間に、第１レンズ群及び第２レンズ群の少なくとも一部が沈胴収納される。
【００１９】
図１は、本発明の実施例１のズームレンズの広角端（短焦点距離端）における光路を展開したときのレンズ断面図である。図２（Ａ）、（Ｂ）、（Ｃ）はそれぞれ実施例１のズームレンズの広角端、中間のズーム位置、望遠端（長焦点距離端）における収差図である。図３は、本発明の実施例２のズームレンズの広角端における光路を展開したときのレンズ断面図である。図４（Ａ）、（Ｂ）、（Ｃ）はそれぞれ実施例２のズームレンズの広角端、中間のズーム位置、望遠端における収差図である。
【００２０】
図５は、本発明の実施例３のズームレンズの広角端における光路を展開したときのレンズ断面図である。図６（Ａ）、（Ｂ）、（Ｃ）はそれぞれ実施例３のズームレンズの広角端、中間のズーム位置、望遠端における収差図である。図７は、本発明の実施例４のズームレンズの広角端における光路を展開したときのレンズ断面図である。図８（Ａ）、（Ｂ）、（Ｃ）はそれぞれ実施例４のズームレンズの広角端、中間のズーム位置、望遠端における収差図である。
【００２１】
図９は、本発明の実施例５のズームレンズの広角端における光路を展開したときのレンズ断面図である。図１０（Ａ）、（Ｂ）、（Ｃ）はそれぞれ実施例５のズームレンズの広角端、中間のズーム位置、望遠端における収差図である。図１１（Ａ）、（Ｂ）は本発明の実施例３のズームレンズの光軸を光路折り曲げ用の反射ユニットで折り曲げたときと、カメラ本体に収納したときの撮像装置の要部概略図である。図１２は本発明の撮像装置の要部概略図である。
【００２２】
実施例１〜５は、それぞれ後述する数値実施例１〜５に対応する。各実施例のズームレンズは撮像装置に用いられる撮影光学系であり、光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。レンズ断面図において、ｉは物体側からのレンズ群の順番を示し、Ｌｉは第ｉレンズ群である。
【００２３】
ＬＲは２以上のレンズ群を含む後群である。ＳＳは開口絞りである。ＵＲはズームレンズの光軸を９０度±１０度以内に折り曲げる反射ミラー又は内面反射を利用したプリズム等からなる反射ユニットである。矢印は広角端から望遠端へのズーミングにおける各レンズ群の移動軌跡を示している。
【００２４】
Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００２５】
各実施例では物体側から像側へ順に、正の屈折力の第１レンズ群、負の屈折力の第２レンズ群、光路折り曲げ用の反射ユニット、２以上のレンズ群を含む後群を有している。後群ＬＲは開口絞りＳＳを有している。
【００２６】
図１の後群ＬＲは、物体側から像側へ順に、正の屈折力の第３レンズ群、正の屈折力の第４レンズ群より構成される。図３の後群ＬＲは、物体側から像側へ順に、正の屈折力の第３レンズ群、負の屈折力の第４レンズ群、正の屈折力の第５レンズ群より構成される。図５，図７，図９の後群ＬＲは、物体側から像側へ順に、負の屈折力の第３レンズ群、正の屈折力の第４レンズ群、負の屈折力の第５レンズ群、正の屈折力の第６レンズ群より構成される。
【００２７】
各収差図において、ｄ−ｌｉｎｅ、ｇ−ｌｉｎｅは各々ｄ線及びｇ線、ΔＭ、ΔＳは各々メリディオナル像面、サジタル像面である。倍率色収差はｇ線によって表している。ωは半画角（度）、ＦｎｏはＦナンバーである。なお、各実施例において広角端と望遠端は変倍用のレンズ群が機構上、光軸上を移動可能な範囲の両端に位置したときのズーム位置をいう。
【００２８】
各実施例はいずれも、ズーミングに際し、第１レンズ群Ｌ１、第２レンズ群Ｌ２、後群ＬＲを構成する複数のレンズ群のうち２以上のレンズ群が移動している。ここで、反射ユニットＵＲはズーミングのためには不動である。
【００２９】
ズーミングに際して不動の反射ユニットＵＲを配置することにより、ズームレンズの光路を折り曲げてカメラボディ内部のスペースを有効活用している。これによって高ズーム比を確保しつつカメラに適用したとき、カメラの前後方向に薄型のズームレンズを達成している。また、最も物体側に正の屈折力の第１レンズ群Ｌ１を配置するとともに、少なくとも第１レンズ群Ｌ１、第２レンズ群Ｌ２を移動させてズーミングをすることにより、ズームレンズの広画角化と高ズーム化を達成している。
【００３０】
また、広角端から望遠端へのズーミングに際して第１レンズ群Ｌ１の移動量と広角端における第２レンズ群Ｌ２の光軸方向の位置を適切に設定している。この構成により、光学性能を良好に維持しつつ、高ズーム比化を容易にしている。
【００３１】
また、広角端における第２レンズ群Ｌ２の光軸方向の位置、第２レンズ群Ｌ２の屈折力を適切に設定することで、ズーム全域での光学性能を良好に維持しつつ全系の小型化を図っている。
【００３２】
以上のように各実施例では、ズーミングに際して第１レンズ群Ｌ１、第２レンズ群Ｌ２を可動としている。そして第１レンズ群Ｌ１の移動量と広角端における第２レンズ群Ｌ２の光軸方向の位置、第２レンズ群Ｌ２の屈折力等を各々適切に設定している。これにより、前玉有効径の大型化を抑制しつつ、高ズーム比化を容易にしている。
【００３３】
各実施例において、広角端から望遠端へのズーミングにおける第１レンズ群Ｌ１の移動量をＸ１（物体側から像面側への移動を正とする）とする。反射ユニットＵＲの反射面から像面までの光軸上の距離をＤＲとする。広角端における第２レンズ群Ｌ２の最も像側のレンズ面から反射ユニットＵＲの反射面までの光軸上の距離をｄ２ｗとする。第２レンズ群Ｌ２の焦点距離をｆ２とする。このとき、
０．４２＜（ｄ２ｗ−Ｘ１）／ＤＲ＜１．００    ・・・（１）
０．５０＜｜Ｘ１｜／ｄ２ｗ＜５．００    ・・・（２）
０．３６＜｜ｆ２｜／ｄ２ｗ＜３．００    ・・・（３）
なる条件式を満足している。次に前述した各条件式の技術的意味について説明する。
【００３４】
条件式（１）は、広角端から望遠端にかけての第１レンズ群Ｌ１の移動量（符号は像側への移動量を正とする）と、広角端における第２レンズ群Ｌ２の光軸方向の位置について、反射ユニットＵＲの反射面から像面までの光軸上の距離と比して規定している。
【００３５】
本発明において、反射ユニットＵＲより物体側の第１レンズ群、第２レンズ群の配置はカメラの厚み方向、反射ユニットＵＲより像側の後群の配置はカメラの幅、若しくは高さ方向のサイズを規定する。条件式（１）を満足することにより、ズーミングのための第１レンズ群Ｌ１と第２レンズ群Ｌ２の移動空間を確保し、高ズーム比化を図りつつ高い光学性能を得るともに、各レンズ群の配置を最適化してカメラサイズの小型化を実現している。
【００３６】
条件式（１）の下限を超えると、第１レンズ群Ｌ１の移動量が小さくなりすぎる、若しくは第２レンズ群Ｌ２と反射ユニットＵＲの反射面の間隔が小さくなりすぎ、変倍のための第２レンズ群Ｌ２の移動空間が十分確保できなくなる。いずれの場合も、光学系の高ズーム比化が困難となる。この状態で高ズーム比化を実現しようとすると、第２レンズ群Ｌ２の移動による変倍効果を第２レンズ群Ｌ２の屈折力で補う構成となり、第２レンズ群Ｌ２の屈折力が強まることとなる。この場合、収差補正のため第２レンズ群Ｌ２内の負レンズの枚数が増加し、レンズ群厚が増加しカメラ厚が増大してしまう。
【００３７】
若しくは、第２レンズ群Ｌ２内の負レンズに、より高屈折率高分散の材料を用いることとなり、光学系全系のペッツバール和が正の方向に増大し像面彎曲の補正が困難となるとともに、第２レンズ群Ｌ２内における色収差の補正も困難となる。
【００３８】
一方、上限を超えると、第１レンズ群Ｌ１の移動量が大きくなりすぎる、または第２レンズ群Ｌ２から反射ユニットＵＲの反射面までの間隔が大きくなりすぎ、光学系全系が大型化するとともに、前玉有効径も大型化してしまう。
【００３９】
条件式（２）は、広角端から望遠端へのズーミングにおける第１レンズ群Ｌ１の移動量とまた広角端における第２レンズ群Ｌ２と反射ユニットＵＲの反射面との間隔を規定している。
【００４０】
ここで、第２レンズ群Ｌ２はズーミングに際して可動の第１レンズ群Ｌ１とズーミングに際して不動の反射ユニットＵＲとの間に配置され、広角端から望遠端へのズーミングに際して像側へ移動する。このため、広角端における第２レンズ群Ｌ２と反射ユニットＵＲの反射面との間隔は、第２レンズ群Ｌ２を移動させるための限界値を決めている。したがって、広角端から望遠端へのズーミングに際して、第１レンズ群Ｌ１が物体側に大きく移動することで、広角端において第１レンズ群Ｌ１をより像側に配置して、前玉有効径の増大を抑制している。
【００４１】
条件式（２）の下限を超えると、第１レンズ群Ｌ１の移動量が、広角端における第２レンズ群Ｌ２と反射ユニットＵＲの反射面との間隔に対して小さくなりすぎる。この場合、広角端において第１レンズ群Ｌ１が、より物体側に配置される構成となるため、前玉有効径が増大してしまう。
【００４２】
一方、上限を超えると、第１レンズ群Ｌ１の移動量が、広角端における第２レンズ群Ｌ２と反射ユニットＵＲの反射面との間隔に対して大きくなりすぎる。この場合、望遠端において前玉有効径が増大してしまう。また、第２レンズ群Ｌ２のズーミングのための移動量が十分確保できず、高ズーム比化が困難となる。
【００４３】
条件式（３）は、第２レンズ群Ｌ２の広角端における光軸方向の位置と第２レンズ群Ｌ２の屈折力を規定している。前玉有効径の小型化と、高ズーム比化を図ったときの光学性能を良好に維持するためのものである。条件式（３）の下限を超えると、第２レンズ群Ｌ２の負の屈折力が強くなりすぎ、ズーム全域において像面彎曲の変動が大きくなり、この補正が困難となる。若しくは、広角端において、第２レンズ群Ｌ２とズームレンズにおける光軸の折り曲げ位置との間隔が大きくなりすぎ、広角端において第１レンズ群Ｌ１をより物体側に配置することが困難となり、前玉有効径が増大してしまう。
【００４４】
一方、上限を超えると、第２レンズ群Ｌ２の屈折力が小さくなりすぎる、若しくは第２レンズ群Ｌ２と反射ユニットＵＲの反射面との間隔が小さくなりすぎる。そうすると、いずれの場合も、第２レンズ群Ｌ２の変倍分担が小さくなりすぎて、高ズーム比を実現することが困難となる。
【００４５】
各実施例において、より好ましくは、条件式（１）〜（３）の数値範囲を次の如く設定するのが良い。
【００４６】
０．４２５＜（ｄ２ｗ−Ｘ１）／ＤＲ＜０．８００    ・・・（１ａ）
０．７０＜｜Ｘ１｜／ｄ２ｗ＜３．５０    ・・・（２ａ）
０．４０＜｜ｆ２｜／ｄ２ｗ＜２．００    ・・・（３ａ）
各実施例において、さらに好ましくは、条件式（１ａ）〜（３ａ）の数値範囲を次の如く設定するのが良い。
【００４７】
０．４３＜（ｄ２ｗ−Ｘ１）／ＤＲ＜０．６０    ・・・（１ｂ）
０．９０＜｜Ｘ１｜／ｄ２ｗ＜２．００    ・・・（２ｂ）
０．４５＜｜ｆ２｜／ｄ２ｗ＜１．００    ・・・（３ｂ）
以上のように各実施例によれば、高ズーム比と前玉有効径の小型化を図ることが容易なズームレンズが得られる。
【００４８】
また、本発明のズームレンズにおいて、好ましくは次の条件式のうちの１つ以上を満足するのが良い。望遠端において無限遠物体にフォーカスしているときの後群ＬＲの合成横倍率をβＬＲｔ、広角端において無限遠物体にフォーカスしているときの後群ＬＲの合成横倍率をβＬＲｗとする。望遠端における全系の焦点距離をｆｔ、広角端における全系の焦点距離をｆｗとし、
ＺＬＲ＝βＬＲｔ／βＬＲｗ
Ｚ＝ｆｔ／ｆｗ
とおく。
【００４９】
第２レンズ群Ｌ２を構成する正レンズのうち、材料のアッベ数が最も小さいアッベ数をνｄ２ｐとする。第２レンズ群Ｌ２を構成するレンズの材料の平均屈折率をｎｄ２ａｖｅとする。第１レンズ群Ｌ１を構成する正レンズのうち、材料のアッベ数が最も大きい正レンズの材料のアッベ数と屈折率を各々、νｄ１ｐ、ｎ１ｄｐとする。第１レンズ群Ｌ１の焦点距離をｆ１とする。第２レンズ群Ｌ２の焦点距離をｆ２とする。このとき、次の条件式のうち１以上を満足するのが良い。
【００５０】
０．１０＜ＺＬＲ／Ｚ＜０．３５      ・・・（４）
１０．０＜νｄ２ｐ＜２０．０        ・・・（５）
１．８３＜ｎｄ２ａｖｅ＜２．３０    ・・・（６）
６０．０＜νｄ１ｐ＜１００．０      ・・・（７）
１．４０＜ｎｄ１ｐ＜１．７０        ・・・（８）
４．３＜ｆ１／｜ｆ２｜＜８．０      ・・・（９）
０．２＜ｆ１／ｆｔ＜１．０          ・・・（１０）
０．０５＜｜ｆ２｜／ｆｔ＜０．１６  ・・・（１１）
次に前述した各条件式の技術的意味について説明する。
【００５１】
条件式（４）は、反射ユニットＵＲの像側に配置される後群ＬＲの変倍分担を規定している。条件式（４）を満足すると、反射ユニットＵＲの前後のレンズ群でバランス良く変倍を分担し、高ズーム比化を図りつつ、全系を小型化することが容易になる。条件式（４）の下限を超えると、後群ＬＲの変倍分担量が小さくなりすぎ、反射ユニットＵＲより物体側のレンズ群の変倍分担が増加する。この場合、ズーミングに際して反射ユニットＵＲより物体側に配置される第１レンズ群Ｌ１、第２レンズ群Ｌ２の移動量が大きくなりすぎて、全系が大型化してしまう。
【００５２】
また、第１レンズ群Ｌ１、第２レンズ群Ｌ２を非撮影時に沈胴する場合、移動量の増大に対応し各レンズ群の鏡筒が大型化し、カメラ厚が増大してしまう。一方、上限を超えると、後群の変倍分担量が大きくなりすぎる。この場合、全系の瞳変動が増大するとともに、反射ユニットＵＲより像側のレンズ群が大型化し、カメラ幅が増大する。
【００５３】
条件式（５）は、第２レンズ群Ｌ２に含まれる正レンズの材料のアッベ数を規定している。第２レンズ群Ｌ２中の正レンズの少なくとも１つに条件式（５）を満足する高分散材料を用いると、第２レンズ群Ｌ２の各レンズの屈折力を緩めつつ第２レンズ群Ｌ２内の色消しを実現しつつ、第２レンズ群Ｌ２の薄型化が容易になる。
【００５４】
条件式（５）の下限を超えると、正レンズの材料の分散が大きくなりすぎ、第２レンズ群Ｌ２内の色収差が補正過剰となる。一方、上限を超えると、正レンズの材料の分散が小さくなりすぎ、第２レンズ群Ｌ２内の色消しのため各レンズのパワーが強まり、第２レンズ群Ｌ２厚の薄型化が困難となる。
【００５５】
条件式（６）は、第２レンズ群Ｌ２に含まれる全てのレンズの材料の平均屈折率を規定している。第２レンズ群Ｌ２内のレンズの材料の平均屈折率を、条件式（６）を満足するように構成すると、第２レンズ群Ｌ２の薄型化が容易になる。
【００５６】
条件式（６）の下限を超えると、平均屈折率が低くなりすぎ、第２レンズ群Ｌ２が厚くなるとともに広角端において像面彎曲の補正が困難となる。一方、上限を超えると、平均屈折率が高くなりすぎ、全系のペッツバール和が正の方向に増大し、ズーム全域での像面彎曲の補正が困難となる。
【００５７】
条件式（７）は、第１レンズ群Ｌ１に含まれる正レンズの材料のアッベ数を規定している。第１レンズ群Ｌ１中の正レンズの少なくとも１つに条件式（７）を満足する低分散材料を用いると、広角端から望遠端までズーム全域において色収差の補正が容易になる。
【００５８】
条件式（７）の下限を超えると、正レンズの材料の分散が大きくなりすぎ、広角端において倍率色収差、望遠端において軸上色収差が補正不足となる。一方、上限を超えると、色収差の補正には好適なものの、この領域の材料は屈折率が低い傾向にあるため第１レンズ群Ｌ１が厚くなり、また望遠端において球面収差、コマ収差の補正が困難となる。
【００５９】
条件式（８）は、第１レンズ群Ｌ１に含まれるアッベ数の最も大きい正レンズの材料の屈折率を規定している。第１レンズ群Ｌ１に含まれるアッベ数の最も大きい正レンズの材料の屈折率を、条件式（８）を満足するように構成すると、第１レンズ群Ｌ１の薄型化を図りつつ、望遠端において球面収差、コマ収差の補正が容易になる。
【００６０】
条件式（８）の下限を超えると、正レンズの材料の屈折率が低くなりすぎ、第１レンズ群Ｌ１が厚くなるとともに望遠端において球面収差、コマ収差の補正が困難となる。一方、上限を超えると、正レンズの材料の屈折率が高くなりすぎ、低分散の材料が選択できなくなることから、広角端において倍率色収差、そして望遠端において軸上色収差の補正が困難となる。
【００６１】
条件式（９）は、高ズーム比を実現するために好適な第１レンズ群Ｌ１と第２レンズ群Ｌ２の屈折力の比を規定している。第１レンズ群Ｌ１と第２レンズ群Ｌ２の屈折力を、条件式（９）を満足するように構成すると、全系の小型化と高ズーム比化を図りつつ、高い光学性能を得るのが容易になる。条件式（９）の下限と上限いずれを超えても、第１レンズ群Ｌ１または、第２レンズ群Ｌ２の屈折力が強くなりすぎるため、ズーム全域において収差補正が困難となる。この他所望のズーム比を得ようとすると、全系が大型化してしまう。
【００６２】
条件式（１０）は、第１レンズ群Ｌ１の屈折力を規定している。第１レンズ群Ｌ１の屈折力を、条件式（１０）を満足するように構成すると、全系の小型化を図りつつ、高い光学性能を得るのが容易になる。条件式（１０）の下限を超えると、第１レンズ群Ｌ１の屈折力が大きくなりすぎ、ズーム全域において球面収差、コマ収差の補正が困難になる。また望遠端において軸上色収差の補正が困難となる。一方、上限を超えると、第１レンズ群Ｌ１の屈折力が小さくなりすぎ、全系が大型化してしまう。
【００６３】
条件式（１１）は、第２レンズ群Ｌ２の屈折力を規定している。第２レンズ群Ｌ２の屈折力を、条件式（１１）を満足するように構成すると、全系の小型化を図りつつ、高い光学性能を得るのが容易になる。条件式（１１）の下限を超えると、第２レンズ群Ｌ２の屈折力が大きくなりすぎ、ズーム全域において像面彎曲、倍率色収差の補正が困難となる。一方、上限を超えると、第２レンズ群Ｌ２の屈折力が小さくなりすぎ、全系が大型化してしまう。
【００６４】
各実施例において、より好ましくは条件式（４）〜（１１）の数値範囲を以下の範囲とするのがよい。
【００６５】
０．１２＜ＺＬＲ／Ｚ＜０．３３      ・・・（４ａ）
１３．０＜νｄ２ｐ＜１９．５        ・・・（５ａ）
１．８５＜ｎｄ２ａｖｅ＜２．１５    ・・・（６ａ）
６３．０＜νｄ１ｐ＜９６．０        ・・・（７ａ）
１．４３＜ｎｄ１ｐ＜１．６５        ・・・（８ａ）
４．５＜ｆ１／｜ｆ２｜＜７．０      ・・・（９ａ）
０．３＜ｆ１／ｆｔ＜０．９          ・・・（１０ａ）
０．０７＜｜ｆ２｜／ｆｔ＜０．１５  ・・・（１１ａ）
各実施例において、さらに好ましくは条件式（４ａ）〜（１１ａ）の数値範囲を以下の範囲とするのがよい。
【００６６】
０．１５＜ＺＬＲ／Ｚ＜０．３０      ・・・（４ｂ）
１５．０＜νｄ２ｐ＜１９．０        ・・・（５ｂ）
１．８７＜ｎｄ２ａｖｅ＜２．００    ・・・（６ｂ）
６６．０＜νｄ１ｐ＜９０．０        ・・・（７ｂ）
１．４６＜ｎｄ１ｐ＜１．６０        ・・・（８ｂ）
４．７＜ｆ１／｜ｆ２｜＜６．５      ・・・（９ｂ）
０．４＜ｆ１／ｆｔ＜０．８          ・・・（１０ｂ）
０．０９＜｜ｆ２｜／ｆｔ＜０．１４  ・・・（１１ｂ）
各実施例はいずれも、物体側から像側へ順に、正の屈折力の第１レンズ群Ｌ１、負の屈折力の第２レンズ群Ｌ２、反射ユニットＵＲ、少なくとも２つのレンズ群を含む後群を有している。そしてズーミングに際しては、少なくとも第１レンズ群Ｌ１、第２レンズ群Ｌ２は移動する。そして各レンズ群間隔が変化する。ここで、反射ユニットＵＲはズーミングに際しては不動である。
【００６７】
以下、図１を参照して、本発明の実施例１のズームレンズについて説明する。実施例１は、物体側から像側へ順に、正、負、正、正の屈折力の第１レンズ群Ｌ１乃至第４レンズ群Ｌ４よりなる４群ズームレンズである。実施例１では、広角端から望遠端へのズーミングに際し、光路折り曲げ用の反射ユニットＵＲは不動であり、第１レンズ群Ｌ１、第３レンズ群Ｌ３は物体側へ、第２レンズ群Ｌ２は像側している。第４レンズ群Ｌ４は非線形に移動している。
【００６８】
開口絞りＳＳは、第３レンズ群Ｌ３内に配置されており、第３レンズ群Ｌ３と一体で移動している。また、反射ユニットＵＲは、全反射又は鏡面反射を利用した内面反射のプリズムを採用している。広角端から望遠端へのズーミングに際し、反射ユニットＵＲの射出面の近くまで第３レンズ群Ｌ３を移動させている。
【００６９】
これにより、第３レンズ群Ｌ３の変倍への寄与を増加し、光学系の小型化を図りつつ高ズーム比を実現している。変倍に伴う像面変動の補償は第４レンズ群Ｌ４を非線形な軌跡で移動させることで行っている。無限遠物体から有限距離物体へのフォーカスは、第４レンズ群Ｌ４を光軸上で移動させる、リアフォーカス方式を採用している。
【００７０】
以下、図３を参照して、本発明の実施例２のズームレンズについて説明する。実施例２は、物体側から像側へ順に、正、負、正、負、正の屈折力の第１レンズ群Ｌ１乃至第５レンズ群Ｌ５よりなる５群ズームレンズである。
【００７１】
実施例２では、広角端から望遠端へのズーミングに際し、反射ユニットＵＲ、第４レンズ群Ｌ４は不動であり、第１レンズ群Ｌ１、第３レンズ群Ｌ３は物体側へ、第２レンズ群Ｌ２は像側へ移動している。第５レンズ群Ｌ５は非線形に移動している。開口絞りＳＳは、第３レンズ群Ｌ３内に配置されており、第３レンズ群Ｌ３と一体で移動している。また、反射ユニットＵＲは、実施例１と同様のプリズムを採用している。
【００７２】
広角端から望遠端へのズーミングに際し、反射ユニットＵＲの射出面の近くまで第３レンズ群Ｌ３を移動させている。これにより第３レンズ群Ｌ３の変倍への寄与を増加し、光学系の小型化を図りつつ、高ズーム比を実現している。また、第３レンズ群Ｌ３と第５レンズ群Ｌ５の間に負の屈折力の第４レンズ群Ｌ４を配置することで、第５レンズ群Ｌ５の正の屈折力を強め、変倍への寄与とフォーカス敏感度を増加させている。
【００７３】
変倍に伴う像面変動の補償は第５レンズ群Ｌ５を非線形な軌跡で移動させることで行っている。無限遠物体から有限距離物体へのフォーカスは、第５レンズ群Ｌ５を光軸方向に移動させる、リアフォーカス方式を採用している。
【００７４】
以下、図５を参照して、本発明の実施例３のズームレンズについて説明する。実施例３は、物体側から像側へ順に、正、負、負、正、負、正の屈折力の第１レンズ群Ｌ１乃至第６レンズ群Ｌ６よりなる６群ズームレンズである。実施例３では、広角端から望遠端へのズーミングに際し、反射ユニットＵＲ、第３レンズ群Ｌ３、第５レンズ群Ｌ５は不動であり、第１レンズ群Ｌ１、第４レンズ群Ｌ４は物体側へ、第２レンズ群Ｌ２は像側へ移動している。開口絞りＳＳは、第４レンズ群Ｌ４内に配置されており、第４レンズ群Ｌ４と一体で移動している。
【００７５】
また、反射ユニットＵＲは実施例１と同様のプリズムを採用している。反射ユニットＵＲの像側に負の屈折力の第３レンズ群Ｌ３を配することで、第４レンズ群Ｌ４の正の屈折力を大きくすることにより、第４レンズ群Ｌ４の変倍への寄与を増加し、光学系の小型化を図りつつ高ズーム比を実現している。
【００７６】
変倍に伴う像面変動の補償は第６レンズ群Ｌ６を非線形な軌跡で移動させることで行っている。無限遠物体から有限距離物体へのフォーカスは、第６レンズ群Ｌ６を光軸方向にで移動させる、リアフォーカス方式を採用している。
【００７７】
以下、図７を参照して、本発明の実施例４のズームレンズについて説明する。実施例４においてズームタイプ、フォーカス方式は図５の実施例３と同じである。実施例３と比較して、各レンズ群内のレンズ構成を変更し、高ズーム比を実現していることが異なる。第１レンズ群Ｌ１の正レンズの材料に異常部分分散性を有する低分散料を用いることで、高ズーム比化により増加する望遠端における色収差を良好に補正している。
【００７８】
以下、図９を参照して、本発明の実施例５のズームレンズについて説明する。実施例５において、ズームタイプ、フォーカス方式は図５の実施例３と同じである。実施例３と比較して、各レンズ群内のレンズ構成を変更し、広角端を広画角化しつつ、高ズーム比化を図ったことが異なる。ズーミングに際しての第１レンズ群Ｌ１、第２レンズ群Ｌ２の移動量を適切に設定することで、広画角化における前玉有効径の増大を抑制しつつ、像面彎曲の変動などの諸収差を良好に補正し、高ズーム比化を実現している。
【００７９】
図１１の本発明のズームレンズを有するデジタルスチルカメラ（撮像装置）の概略構成図において、図１１（Ａ）は撮影状態であり、図１１（Ｂ）はズームレンズの非撮影の収納状態（沈胴状態）を表している。図１１（Ａ）、（Ｂ）に示すズームレンズは実施例３のズームレンズを例として示している。図１１において、Ｌ１は正の屈折力の第１レンズ群、Ｌ２は負の屈折力の第２レンズ群である。
【００８０】
ＵＲは光路を折り曲げるための反射面を含む反射ユニットであり、同図では面内反射を用いたプリズムよりなっている。ＬＲは反射ユニットＵＲより像側の２以上のレンズ群と開口絞りＳＳを有する後群である。後群ＬＲは負の屈折力の第３レンズ群Ｌ３、正の屈折力の第４レンズ群Ｌ４、負の屈折力の第５レンズ群Ｌ５、正の屈折力の第６レンズ群Ｌ６よりなっている。開口絞りＳＳは第４レンズ群Ｌ４のレンズ間に配置されている。ＩＰは、ズームレンズによって形成された像を受光するＣＣＤセンサやＣＭＯＳセンサ等の固体撮像素子（光電変換素子）である。
【００８１】
各実施例においてズームレンズが撮影状態（図１１（Ａ））から収納状態（図１１（Ｂ））へ移行する際は、反射ユニットＵＲが光軸上、像側へ移動する。それとともに、反射ユニットＵＲが移動することにより生じた空間側に、第１レンズ群Ｌ１および第２レンズ群Ｌ２を移動させて沈胴収納するようにしている。このような、屈曲沈胴式のズームレンズを採用すると、カメラの前後方向の更なる薄型化を実現することが容易になる。
【００８２】
以上、本発明の好ましい実施例について説明したが、本発明はこれらの実施例に限定されず、その要旨の範囲内で種々の変形及び変更が可能である。例えば、実施例１〜５のズームレンズにおいて、ズーミングに際してのＦナンバーの変動を制御するため、ズーム位置に応じて絞り径の制御を行ってもよい。
【００８３】
また、全系に残存する歪曲収差を電気的に補正（画像処理での補正）してもよい。また、全系を構成するレンズ群の全体、若しくは一部のレンズ群を光軸に対して垂直方向の成分を持つように移動させることで、結像位置を光軸に対して垂直方向に移動させても良い。即ち手ぶれの補正を行ってもよい。この場合、反射ユニットとの干渉を防止するため、実施例１、２では第３レンズ群Ｌ３よりも像側のレンズ群、実施例３乃至５では第４レンズ群Ｌ４よりも像側のレンズ群を防振レンズ群とするのが好適である。もちろん、撮像素子を移動させて手ぶれ補正方式を用いてもよい。
【００８４】
次に本発明のズームレンズを撮影光学系として用いたデジタルカメラ（光学機器）の実施形態を図１２を用いて説明する。図１２において、２０はデジタルカメラ本体、２１は上述の実施例のズームレンズによって構成された撮影光学系である。Ｐは反射ユニットである。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。上記表示素子は液晶パネル等によって構成され、撮像素子２２上に形成された画像が表示される。
【００８５】
このように本発明のズームレンズをデジタルカメラ等に適用することにより、小型で高い光学性能を有する撮像装置を実現している。
【００８６】
以下、実施例１〜５に対応する数値実施例１〜５の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。撮影画角は半画角（度）で示している。ここで、アッべ数νｄは以下の式であらわされる。
【００８７】
νｄ＝（Ｎｄ−１）／（ＮＦ−ＮＣ）
である。ここでＮｄをフラウンホーファーのｄ線（波長５８７．６ｎｍ）に対する屈折率、ＮＦをフラウンホーファーのＦ線（波長４８６．１ｎｍ）に対する屈折率、ＮＣをフラウンホーファーのＣ線（波長６５６．３ｎｍ）に対する屈折率とする。像面側の４つの面は光学フィルター等の光学ブロックを示す。
【００８８】
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０を非球面係数とするとき、
ｘ＝（ｈ２／ｒ）／［１＋｛１−（１＋Ｋ）×（ｈ／ｒ）２｝１／２］＋Ａ４×ｈ４＋Ａ６×ｈ６＋Ａ８×ｈ８＋Ａ１０×ｈ１０
なる式で表している。なお、数値の「ｅ±ＸＸ」は「×１０±ＸＸ」を意味している。また、前述の各条件式と数値実施例との関係を（表１）に示す。
【００８９】
（数値実施例１）
単位 mm
面データ
面番号       r        d      nd         νd       有効径
1         37.537    1.10   1.84666    23.8       24.74
2         22.470    4.00   1.49700    81.5       22.42
3        228.496    0.10                         21.03
4         25.888    2.40   1.77250    49.6       20.22
5        124.990  (可変)                         19.86
6*      -435.582    1.05   1.85135    40.1       13.81
7*         6.547    3.81                          9.89
8        -14.224    0.60   1.88300    40.8        9.50
9         49.116    0.10                          9.64
10         22.089    1.50   2.10205    16.8        9.78
11        -79.831  (可変)                          9.71
12          ∞       8.50   1.83400    37.2        7.64
13          ∞     (可変)                          6.40
14*         9.864    2.30   1.55332    71.7        7.90
15*      1571.669    1.00                          7.70
16(絞り)    ∞       1.00                          6.10
17         12.036    0.60   1.84666    23.8        5.92
18          8.538    1.71                          5.70
19         49.260    2.10   1.48749    70.2        7.20
20         -9.072    0.60   1.88300    40.8        7.20
21        -14.067  (可変)                          7.10
22         16.357    1.45   1.48749    70.2        9.31
23       -227.600    0.70   1.84666    23.8        9.22
24        101.004  (可変)                          9.14
25          ∞       0.30   1.51633    64.1       20.00
26          ∞       1.60                         20.00
27          ∞       0.50   1.51633    64.1       20.00
28          ∞                                    20.00
像面        ∞
【００９０】
非球面データ
第6面
K =-4.74765e+002  A 4= 2.18876e-005
第7面
K = 2.15394e-002  A 4=-6.54389e-005
第14面
K =-1.47175e+000  A 4= 1.03780e-004  A 6= 7.69273e-007  A 8= 1.06577e-008
第15面
K = 1.78907e+005  A 4= 2.60764e-005
各種データ
ズーム比     13.99
広角     中間     望遠
焦点距離       5.00    25.18    69.97 
Fナンバー      3.50     5.07     5.74
半画角（度）  34.29     8.75     3.17
像高           3.41     3.88     3.88 
レンズ全長    80.92    87.98    94.30 
BF             0.50     0.50     0.50 
d 5            0.80    13.48    20.80 
d11            7.42     1.79     0.80 
d13           18.50     3.20     0.50 
d21           10.75    16.37    29.64 
d24            5.94    15.62     5.05 
入射瞳位置    15.92    58.87   156.68 
射出瞳位置   -32.66   -56.65  -122.26 
前側主点位置  20.17    72.95   186.77 
後側主点位置  -4.50   -24.68   -69.47 
ズームレンズ群データ
群  始面    焦点距離  レンズ構成長  前側主点位置  後側主点位置
L1    1      35.39         7.60         1.99         -2.80
L2    6      -6.66         7.06         0.73         -4.83
UR   12       ∞           8.50         2.32         -2.32
L3   14      18.09         9.31         1.73         -6.49
L4   22      49.45         2.15        -0.64         -1.97
G   25       ∞           2.40         1.06         -1.06
単レンズデータ
レンズ  始面  焦点距離
1       1    -68.41
2       2     49.82
3       4     41.83
4       6     -7.57
5       8    -12.44
6      10     15.82
7      12      0.00
8      14     17.93
9      17    -37.67
10      19     15.90
11      20    -30.66
12      22     31.37
13      23    -82.55
14      25      0.00
15      27      0.00
【００９１】
（数値実施例２）
単位 mm
面データ
面番号       r        d      nd         νd       有効径
1         36.494    1.10   1.84666    23.8       23.47
2         21.159    3.60   1.48749    70.2       21.18
3        150.416    0.10                         19.93
4         25.465    2.20   1.77250    49.6       17.39
5        155.076  (可変)                         16.79
6*       -90.487    1.05   1.85135    40.1       13.64
7*         6.318    3.93                          9.87
8        -11.900    0.60   1.88300    40.8        9.64
9       -102.709    0.10                          9.98
10         32.503    1.60   1.94595    18.0       10.20
11        -30.670  (可変)                         10.21
12          ∞       8.50   1.83400    37.2        8.40
13          ∞     (可変)                          7.08
14*         9.635    2.30   1.55332    71.7        7.90
15*       -65.191    1.00                          7.70
16(絞り)    ∞       1.00                          6.89
17         10.943    0.60   1.84666    23.8        6.55
18          7.785    1.06                          6.25
19      -1787.869    2.10   1.48749    70.2        7.20
20         -7.785    0.60   1.88300    40.8        7.20
21        -12.079  (可変)                          7.10
22        -54.003    0.70   1.48749    70.2        8.47
23         59.655  (可変)                          8.59
24         14.383    2.40   1.51633    64.1        9.75
25        -24.673    0.70   1.84666    23.8        9.63
26        -51.610  (可変)                          9.62
27          ∞       0.30   1.51633    64.1       20.00
28          ∞       1.60                         20.00
29          ∞       0.50   1.51633    64.1       20.00
30          ∞                                    20.00
像面        ∞
【００９２】
非球面データ
第6面
K =-5.84572e+002  A 4= 5.80292e-006
第7面
K =-2.06745e-001  A 4= 2.32185e-005
第14面
K =-1.48996e+000  A 4= 1.03367e-004  A 6= 8.33874e-007  A 8=-1.69131e-008
第15面
K = 2.27950e+001  A 4= 5.55581e-005
各種データ
ズーム比     12.00
広角     中間     望遠
焦点距離       5.00    21.13    60.00 
Fナンバー      3.03     4.80     5.74
半画角（度）  34.29    10.39     3.70
像高           3.41     3.88     3.88 
レンズ全長    80.01    85.91    93.43 
BF             0.50     0.50     0.50 
d 5            0.92    10.89    19.42 
d11            5.87     1.81     0.80 
d13           19.68     4.25     0.40 
d21            4.27    19.69    23.55 
d23            5.31     4.21     7.97 
d26            5.81     6.91     3.15 
入射瞳位置    15.14    41.86   112.78 
射出瞳位置   -38.65  -155.17   428.81 
前側主点位置  19.50    60.12   181.19 
後側主点位置  -4.50   -20.63   -59.50 
ズームレンズ群データ
群  始面    焦点距離  レンズ構成長  前側主点位置  後側主点位置
L1    1      35.57         7.00         1.92         -2.50
L2    6      -7.06         7.28         0.23         -5.98
UR   12       ∞           8.50         2.32         -2.32
L3   14      17.05         8.66         0.94         -6.34
L4   22     -58.03         0.70         0.22         -0.25
L5   24      25.91         3.10         0.29         -1.70
G   27       ∞           2.40         1.06         -1.06
単レンズデータ
レンズ  始面  焦点距離
1       1    -61.49
2       2     50.05
3       4     39.15
4       6     -6.90
5       8    -15.29
6      10     16.89
7      12      0.00
8      14     15.34
9      17    -34.91
10      19     16.03
11      20    -26.54
12      22    -58.03
13      24     17.97
14      25    -56.51
15      27      0.00
16      29      0.00
【００９３】
（数値実施例３）
単位 mm
面データ
面番号       r        d      nd         νd       有効径
1         31.211    1.20   1.84666    23.8       24.07
2         18.915    3.80   1.48749    70.2       21.78
3         61.786    0.10                         20.87
4         22.255    2.50   1.80400    46.6       19.47
5         68.349  (可変)                         18.58
6        124.117    1.10   1.86400    40.6       13.51
7*         6.120    3.69                          9.66
8        -12.724    0.60   1.88300    40.8        9.38
9         31.914    0.10                          9.60
10         19.146    2.20   1.92286    18.9        9.79
11        -25.465  (可変)                          9.79
12          ∞       8.30   1.83400    37.2        7.31
13          ∞       0.65                          6.14
14        -32.304    0.65   1.77250    49.6        6.26
15        -71.317  (可変)                          6.42
16*         9.698    2.00   1.55332    71.7        6.74
17*       -34.923    1.05                          6.68
18(絞り)    ∞       1.05                          6.46
19         11.960    0.60   1.84666    23.8        6.21
20          7.799    1.73                          5.95
21         14.439    2.30   1.48749    70.2        6.04
22         -8.615    0.60   1.88300    40.8        5.89
23        -13.793  (可変)                          5.96
24        -26.877    0.80   1.60311    60.6        5.52
25         14.902  (可変)                          5.65
26*        16.023    2.80   1.48749    70.2        9.59
27        -13.562  (可変)                          9.69
28          ∞       0.30   1.51633    64.1       20.00
29          ∞       1.60                         20.00
30          ∞       0.50   1.51633    64.1       20.00
31          ∞                                    20.00
像面        ∞
【００９４】
非球面データ
第7面
K = 0.00000e+000  A 4=-7.77580e-005  A 6=-5.36969e-006  A 8= 1.98554e-007  A10=-7.94713e-009 
第16面
K =-1.70486e-001  A 4=-6.91831e-005  A 6=-2.28800e-006  A 8= 2.08666e-008
第17面
K =-4.92141e+001  A 4=-5.60099e-005
第26面
K = 0.00000e+000  A 4=-1.27581e-004  A 6=-4.76135e-008  A 8=-3.49285e-009
各種データ
ズーム比     11.48
広角     中間     望遠
焦点距離       4.61    28.64    52.91 
Fナンバー      3.00     5.38     6.06
半画角（度）  35.87     7.71     4.19
像高           3.33     3.88     3.88 
レンズ全長    75.32    86.29    90.11 
BF             0.50     0.50     0.50 
d 5            0.83    16.09    20.87 
d11            6.04     1.74     0.79 
d15           13.19     2.12     0.30 
d23            1.11    12.18    13.99 
d25            4.83    10.31    11.49 
d27            8.56     3.08     1.90 
入射瞳位置    15.61    68.55   115.15 
射出瞳位置   -50.10    63.27    50.68 
前側主点位置  19.80   110.26   223.83 
後側主点位置  -4.11   -28.14   -52.41 
ズームレンズ群データ
群  始面    焦点距離  レンズ構成長  前側主点位置  後側主点位置
L1    1      40.20         7.60         1.15         -3.57
L2    6      -7.28         7.69         0.36         -6.01
UR   12       ∞           8.35         2.28         -2.28
L3   14     -77.00         0.65        -0.31         -0.68
L4   16      12.83         9.33         2.67         -5.99
L5   24     -15.78         0.80         0.32         -0.18
L6   26      15.55         2.80         1.05         -0.89
G   28       ∞           2.40         1.06         -1.06
単レンズデータ
レンズ  始面  焦点距離
1       1    -59.36
2       2     54.34
3       4     40.08
4       6     -7.48
5       8    -10.24
6      10     12.13
7      12      0.00
8      14    -77.00
9      16     13.94
10      19    -28.35
11      21     11.44
12      22    -27.48
13      24    -15.78
14      26     15.55
15      28      0.00
16      30      0.00
【００９５】
（数値実施例４）
単位 mm
面データ
面番号       r        d      nd         νd       有効径
1         39.596    1.10   1.84666    23.8       23.24
2         23.031    3.50   1.49700    81.5       21.12
3        625.806    0.10                         20.01
4         25.649    2.20   1.77250    49.6       19.33
5        115.465  (可変)                         19.00
6*       105.096    1.05   1.86400    40.6       13.06
7*         6.071    3.50                          9.43
8        -11.502    0.60   1.88300    40.8        9.23
9         84.927    0.10                          9.49
10         21.649    1.80   1.94595    18.0        9.69
11        -29.617  (可変)                          9.67
12          ∞       7.50   1.83400    37.2        7.42
13          ∞       0.80                          6.50
14        -18.249    0.60   1.88300    40.8        6.60
15        -28.718  (可変)                          6.80
16*         9.863    2.30   1.55332    71.7        7.90
17*       -36.227    1.00                          7.70
18(絞り)    ∞       1.00                          6.92
19         10.797    0.60   1.84666    23.8        6.63
20          7.747    1.30                          6.33
21         78.337    2.10   1.48749    70.2        7.20
22         -9.415    0.60   1.83481    42.7        7.20
23        -13.771  (可変)                          7.10
24        142.265    0.70   1.91082    35.3        7.82
25         30.646  (可変)                          7.85
26         15.005    2.00   1.48749    70.2       10.12
27        -65.156  (可変)                         10.03
28          ∞       0.30   1.51633    64.1       20.00
29          ∞       1.60                         20.00
30          ∞       0.50   1.51633    64.1       20.00
31          ∞                                    20.00
像面        ∞
【００９６】
非球面データ
第6面
K =-1.01105e+001  A 4=-3.26513e-005
第7面
K =-1.55025e-001  A 4=-1.81949e-005
第16面
K =-1.59635e+000  A 4= 1.11561e-004  A 6= 1.67477e-007  A 8=-2.76827e-009
第17面
K = 1.50590e+001  A 4= 1.46714e-004
各種データ
ズーム比     14.58
広角     中間     望遠
焦点距離       5.12    17.36    74.72 
Fナンバー      3.25     4.59     5.72
半画角（度）  33.64    12.58     2.97
像高           3.41     3.88     3.88 
レンズ全長    78.41    84.25    94.41 
BF             0.50     0.50     0.50 
d 5            0.64     9.44    20.64 
d11            5.00     2.04     1.00 
d15           16.44     4.96     0.50 
d23            0.95    12.43    16.89 
d25           11.81     8.93    13.41 
d27            6.22     9.10     4.62 
入射瞳位置    14.64    37.40   154.59 
射出瞳位置   -66.46  -166.69   228.17 
前側主点位置  19.37    52.96   253.83 
後側主点位置  -4.62   -16.86   -74.22 
ズームレンズ群データ
群  始面    焦点距離  レンズ構成長  前側主点位置  後側主点位置
L1    1      34.87         6.90         1.83         -2.50
L2    6      -7.27         7.05         0.39         -5.42
UR   12       ∞           7.50         2.04         -2.04
L3   14     -58.26         0.60        -0.57         -0.90
L4   16      14.64         8.90         1.56         -6.15
L5   24     -43.01         0.70         0.47          0.10
L6   26      25.22         2.00         0.25         -1.10
G   28       ∞           2.40         1.06         -1.06
単レンズデータ
レンズ  始面  焦点距離
1       1    -67.06
2       2     48.02
3       4     42.23
4       6     -7.49
5       8    -11.44
6      10     13.45
7      12      0.00
8      14    -58.26
9      16     14.26
10      19    -35.61
11      21     17.38
12      22    -38.03
13      24    -43.01
14      26     25.22
15      28      0.00
16      30      0.00
【００９７】
（数値実施例５）
単位 mm
面データ
面番号       r        d      nd         νd       有効径
1         38.533    1.10   1.84666    23.8       25.15
2         23.129    3.30   1.48749    70.2       23.19
3        108.394    0.10                         22.53
4         30.124    2.40   1.77250    49.6       21.71
5        176.189  (可変)                         21.43
6        151.976    1.05   1.85135    40.1       14.55
7*         6.659    3.84                         10.35
8        -14.597    0.65   1.88300    40.8       10.02
9         21.930    0.20                         10.14
10         17.534    2.00   1.94595    18.0       10.36
11        -35.574  (可変)                         10.33
12          ∞       7.15   1.83400    37.2        6.21
13          ∞       0.48                          6.66
14        -30.246    0.60   1.88300    40.8        6.74
15        -56.670  (可変)                          6.91
16*         8.780    2.15   1.55332    71.7        7.36
17*      -121.803    1.02                          7.22
18(絞り)    ∞       1.02                          7.04
19         11.059    0.61   1.84666    23.8        6.77
20          8.171    1.30                          6.48
21         13.168    3.55   1.48749    70.2        6.63
22         -6.016    0.60   1.88300    40.8        6.58
23        -11.950  (可変)                          6.85
24       -130.066    0.70   1.48749    70.2        6.06
25          8.359  (可変)                          6.04
26*        12.331    3.50   1.48749    70.2       10.52
27        -24.656  (可変)                         10.37
28          ∞       0.30   1.51633    64.1       20.00
29          ∞       1.60                         20.00
30          ∞       0.50   1.51633    64.1       20.00
31          ∞                                    20.00
像面        ∞
【００９８】
非球面データ
第7面
K = 7.67669e-002  A 4=-1.04295e-004  A 6=-1.91570e-006  A 8= 1.31689e-009  A10=-1.22263e-009 
第16面
K = 1.97782e-001  A 4=-7.19392e-005  A 6= 7.10755e-008  A 8=-1.48419e-008
第17面
K =-1.36483e+002  A 4= 9.64577e-005
第26面
K = 0.00000e+000  A 4=-6.87779e-006  A 6= 9.74986e-007  A 8=-3.24927e-008  A10= 4.15930e-010 
各種データ
ズーム比     15.34
広角     中間     望遠
焦点距離       4.42    29.69    67.77 
Fナンバー      3.16     5.15     5.85
半画角（度）  37.02     7.44     3.27
像高           3.33     3.88     3.88 
レンズ全長    80.92    90.09    95.30 
BF             0.50     0.50     0.50 
d 5            0.51    19.24    25.51 
d11           11.57     2.01     0.95 
d15           13.30     3.65     0.35 
d23            0.78    10.44    13.73 
d25            7.60    11.12    11.61 
d27            6.92     3.40     2.91 
入射瞳位置    14.38    79.53   154.49 
射出瞳位置   -70.16   117.84    86.19 
前側主点位置  18.52   116.72   275.87 
後側主点位置  -3.92   -29.19   -67.27 
ズームレンズ群データ
群  始面    焦点距離  レンズ構成長  前側主点位置  後側主点位置
L1    1      43.29         6.90         1.51         -2.81
L2    6      -7.20         7.75         0.63         -5.65
UR   12       ∞           7.15         1.95         -1.95
L3   14     -74.26         0.60        -0.37         -0.69
L4   16      12.79        10.26         2.18         -6.72
L5   24     -16.08         0.70         0.44         -0.03
L6   26      17.40         3.50         0.81         -1.62
G   28       ∞           2.40         1.06         -1.06
単レンズデータ
レンズ  始面  焦点距離
1       1    -70.65
2       2     59.56
3       4     46.70
4       6     -8.21
5       8     -9.84
6      10     12.65
7      12      0.00
8      14    -74.26
9      16     14.89
10      19    -40.93
11      21      9.02
12      22    -14.40
13      24    -16.08
14      26     17.40
15      28      0.00
16      30      0.00
【００９９】
【表１】
2014048311.tif 000003
【符号の説明】
【０１００】
Ｌ１  第１レンズ群        Ｌ２  第２レンズ群        Ｌ３  第３レンズ群
Ｌ４  第４レンズ群        Ｌ５  第５レンズ群        Ｌ６  第６レンズ群
ＬＲ  後続レンズ群        ＵＲ  反射ユニット
ＳＳ  開口絞り
【図１】
2014048311.tif 000004
【図２】
2014048311.tif 000005
【図３】
2014048311.tif 000006
【図４】
2014048311.tif 000007
【図５】
2014048311.tif 000008
【図６】
2014048311.tif 000009
【図７】
2014048311.tif 000010
【図８】
2014048311.tif 000011
【図９】
2014048311.tif 000012
【図１０】
2014048311.tif 000013
【図１１】
2014048311.tif 000014
【図１２】
2014048311.tif 000015